(57)【特許請求の範囲】
【請求項１】
映像や音声を記録・再生できる装置において動作状態の把握を容易にする表示を提供できる映像の録画再生状態表示方法であって、
番組全体の放送予定の長さをステータスバーを用いて表す工程と、
少なくとも記録媒体上での再生位置または録画位置を視覚的に表現する前記ステータスバーの上部及び下部の一方に再生動作記号表示、他方に録画動作記号表示を配置して動作記号表示を行う工程を有することを特徴とする映像の録画再生状態表示方法。
【請求項２】
番組の録画中に当該番組中のどの位置まで録画したかを計算する第１工程と、当該計算結果に基づき、録画ポジションバーおよび前記録画動作記号表示の表示位置を更新する第２工程と、
番組の再生中に当該番組中のどの位置まで再生したかを計算する第３工程と、当該計算結果に基づき、再生済みバー、再生ポジションバーおよび前記再生動作記号表示の表示位置を更新する第４工程と、
当該録画位置および当該再生位置に基づき時間表示を更新する第５工程を有し、
前記第１工程乃至前記第５工程を繰り返して、前記再生済みバー、前記再生ポジションバーおよび前記再生動作記号表示における表示位置を再生の進行に合わせて変化させ、前記録画ポジションバーおよび前記録画動作記号表示における表示位置を録画の進行に合わせて変化させ、当該再生位置および当該録画位置の最新位置を前記時間表示として表示することを特徴とする請求項１に記載の映像の録画再生状態表示方法。
【請求項３】
再生モードを高速再生に切り替える操作をした場合、
高速再生への切替操作を検出する第６工程と、
高速再生に対応する動作記号である高速再生用の記号を選択するとともに、再生モードを高速再生に変更して高速再生を開始する第７工程と、
録画中であるときに番組中のどの位置まで録画したかを計算する第８工程と、
当該計算結果に基づき、前記録画ポジションバーおよび前記録画動作記号表示の表示位置を更新する第９工程と、
高速再生モードで再生中であるときに番組中のどの位置まで再生したかを計算する第１０工程と、
当該計算結果に基づき、前記再生済みバー、前記再生ポジションバーおよび前記再生動作記号表示の表示を更新するとともに、前記第７工程で選択した前記高速再生用の記号を用いて前記再生動作記号表示を実行する工程と、
前記第８工程で得た録画位置および前記第１０工程で得た再生位置に基づき前記時間表示を更新する工程を実行することを特徴とする請求項２に記載の映像の録画再生状態表示方法。
【請求項４】
映像や音声を記録・再生できる装置において動作状態の把握を容易にする表示を提供できる映像録画再生装置であって、
番組全体の放送予定の長さをステータスバーを用いて表す手段と、
少なくとも記録媒体上での再生位置または録画位置を視覚的に表現する前記ステータスバーの上部及び下部の一方に再生動作記号表示、他方に録画動作記号表示を配置して動作記号表示を行う手段を有することを特徴とする映像録画再生装置。
【請求項５】
番組の録画中に当該番組中のどの位置まで録画したかを計算する手段と、
当該計算結果に基づき、録画ポジションバーおよび前記録画動作記号表示の表示位置を更新する手段と、
番組の再生中に当該番組中のどの位置まで再生したかを計算する手段と、
当該計算結果に基づき、再生済みバー、再生ポジションバーおよび前記再生動作記号表示の表示位置を更新する手段と、
当該録画位置および当該再生位置に基づき時間表示を更新する手段と、
前記再生済みバー、前記再生ポジションバーおよび前記再生動作記号表示における表示位置を再生の進行に合わせて変化させ、前記録画ポジションバーおよび前記録画動作記号表示における表示位置を録画の進行に合わせて変化させ、当該再生位置および当該録画位置の最新位置を前記時間表示として表示する手段を有することを特徴とする請求項４に記載の映像録画再生装置。
【請求項６】
再生モードを高速再生に切り替える操作をした場合、
高速再生への切替操作を検出する手段と、
高速再生に対応する動作記号である高速再生用の記号を選択するとともに、再生モードを高速再生に変更して高速再生を開始する手段と、
録画中であるときに番組中のどの位置まで録画したかを計算する手段と、
当該計算結果に基づき、前記録画ポジションバーおよび前記録画動作記号表示の表示位置を更新する手段と、高速再生モードで再生中であるときに番組中のどの位置まで再生したかを計算する手段と、
当該計算結果に基づき、前記再生済みバー、前記再生ポジションバーおよび前記再生動作記号表示の表示を更新するとともに、前記選択した前記高速再生用の記号を用いて前記再生動作記号表示を実行する手段と、
前記録画位置および前記計算で得た再生位置に基づき前記時間表示を更新する手段を有することを特徴とする請求項５に記載の映像録画再生装置。
【発明の詳細な説明】
【０００１】
【発明の属する技術分野】
本発明は、映像の録画再生状態表示技術に係り、特に動作状態の把握を容易にする表示を提供できる映像の録画再生状態表示方法および映像録画再生装置に関する。
【０００２】
【従来の技術】
図１０は従来の録画再生装置における再生状態表示例である。従来の映像録画再生装置では、再生モードが変化したときのみ図１０のように画面Ａの隅などに動作記号Ｂを表示する方法が主流だったため、映像のうちどのあたりを再生しているかの判定は装置のカウンタ表示などに頼るしかないという問題点があった。
【０００３】
このような第１従来技術の問題点を解決することを目的とする従来技術として、再生位置を視覚的に表示できる映像録画再生装置が開示されている（第２従来技術）。図１１は従来の録画再生装置における再生ポジション表示例である。このような映像録画再生装置は、図１１に示すように、映像を再生した場合の映像全体の長さを表すステータスバーＰ１０上に、再生ポジションバーＰ１２を表示するのみの構成であった。
【０００４】
このような第２従来技術に属すると考えられる従来技術としては、例えば、特開平７−１６２７７９号公報（第３従来技術）に記載のものがある。すなわち、第３従来技術は、多画面表示時における操作性を向上させることを目的とするものであって、複数のテレビジョン信号を受信可能な受信手段と、受信手段からの複数の映像信号を合成することにより表示画面上に複数の映像信号に基づく複数の縮小画面を多画面表示させることを可能にする合成手段と、表示画面上の所定位置にステータス表示を表示すると共にこのステータス表示領域上に各縮小画面に関する情報を提示するための信号を合成手段に与えてオンスクリーン表示させるオンスクリーン表示手段とを具備した多画面表示テレビジョン受信機である。このような多画面表示テレビジョン受信機によれば、映像を著しく阻害することなく、各画面の情報等を提示可能とすることにより、操作性を向上させることができるといった効果が開示されている。
【０００５】
また、第２従来技術に属すると考えられる他の従来技術としては、例えば、特開平７−１６９２４８号公報（第４従来技術）に記載のものがある。すなわち、第４従来技術は、編集装置でのタイムコード表示が簡単な操作で良好に行われるようにすることを目的とするものであって、第１の映像信号再生手段が接続される第１の映像信号入力部と、第２の映像信号再生手段が接続される第２の映像信号入力部と、それぞれの映像信号入力部に得られる映像信号を切換える切換手段と、切換手段で切換えられた映像信号を出力し映像信号記録手段が接続される映像信号出力部と、切換手段の切換制御と第１、第２の映像信号再生手段の再生制御と映像信号記録手段の記録制御とを行う制御手段と、制御手段に制御状態を設定させる操作手段とを備え、制御手段の制御で、第１、第２の映像信号再生手段から編集点として設定される所定の箇所の映像信号を再生させて切換手段で選択させるとともに、この選択された映像信号を映像信号記録手段で記録させるビデオ編集装置において、第１の映像信号再生手段での再生位置を示すタイムコードを表示する第１のタイムコード表示部と、第２の映像信号再生手段での再生位置を示すタイムコードを表示する第２のタイムコード表示部と、映像信号記録手段での記録位置を示すタイムコードを表示する第３のタイムコード表示部とを設け、操作手段で編集点の設定状況に関する操作を行うとき、この設定された編集点の映像を再生または記録する再生手段または記録手段のタイムコードを表示する何れかのタイムコード表示部での表示を、編集点のタイムコード表示とするとともに、再度操作手段で何れかの操作が行われたとき、編集点のタイムコードの表示から、現在の再生位置または記録位置のタイムコードを示すステータス表示に戻すようにしたビデオ編集装置である。
【０００６】
また、このようなビデオ編集装置は、ステータス表示に戻る操作として、操作手段の中の再生手段または記録手段の再生制御または記録制御を行うための操作手段を備えている。また、ステータス表示に戻る操作として、編集点の設定状況に関する操作を解除する操作手段を備えている。
【０００７】
このようなビデオ編集装置によると、編集点のタイムコードを表示させる操作を行ったとき、この編集点のタイムコードが表示されるとともに、この状態で何れかの操作を行ったとき、自動的にステータス表示に戻るので、自動的に良好なモードのタイムコードが表示されるようになり、編集操作を行う者がタイムコードの表示を切換える操作をしなくても自動的に適切なモードのタイムコードが表示されるといった効果が開示されている。
【０００８】
また、再生手段や記録手段を制御する操作を行ったとき、自動的にステータス表示に戻るようにしたことで、再生手段や記録手段の制御中には必ず現在位置を示すタイムコードが表示され、タイムコードを確認しながら良好に再生手段や記録手段の制御ができるようになるといった効果も開示されている。
【０００９】
さらに、編集点の設定状況に関する操作を解除する操作を行ったとき、自動的にステータス表示に戻るようにしたことで、編集点の設定操作が終わると、現在位置を示すタイムコードが表示されるようになるといった効果も開示されている。
【００１０】
さらにまた、各タイムコード表示部として、表示データのスーパーインポーズによる編集映像確認用のモニタでの表示で実現することで、タイムコード表示専用の表示部が不要になり、それだけ表示部の構成が簡単になり、簡単に良好なタイムコードが表示されるようになるといった効果も開示されている。
【００１１】
【発明が解決しようとする課題】
しかしながら、上記第２従来技術乃至第４従来技術は、図１１に示すように、映像を再生した場合の映像全体の長さを表すステータスバーＰ１０上に、再生ポジションバーＰ１２を表示するのみの構成であったため、通常再生を行っているのかスロー再生または高速再生を行っているのかの判別は、映像を見て判断するしかないという問題点があった。このため、特に映像に変化が少ないシーンなどでは、再生モードの判別が困難になることがあるという問題点があった。
【００１２】
一方、最近では記録装置としてディスクメディアが登場するようになり、録画中の映像の再生を行うことが技術的に可能になったが、録画と再生のポジションやモードなどを同時に表現する方法がなかった。
【００１３】
本発明は斯かる問題点を鑑みてなされたものであり、その目的とするところは、動作状態の把握を容易にする表示を提供できる映像の録画再生状態表示方法および映像録画再生装置を提供する点にある。
【００１４】
【課題を解決するための手段】
請求項１に記載の発明の要旨は、映像や音声を記録・再生できる装置において動作状態の把握を容易にする表示を提供できる映像の録画再生状態表示方法であって、番組全体の放送予定の長さをステータスバーを用いて表す工程と、少なくとも記録媒体上での再生位置または録画位置を視覚的に表現する前記ステータスバーの上部及び下部の一方に再生動作記号表示、他方に録画動作記号表示を配置して動作記号表示を行う工程を有することを特徴とする映像の録画再生状態表示方法に存する。また、請求項２に記載の発明の要旨は、番組の録画中に当該番組中のどの位置まで録画したかを計算する第１工程と、当該計算結果に基づき、録画ポジションバーおよび前記録画動作記号表示の表示位置を更新する第２工程と、番組の再生中に当該番組中のどの位置まで再生したかを計算する第３工程と、当該計算結果に基づき、再生済みバー、再生ポジションバーおよび前記再生動作記号表示の表示位置を更新する第４工程と、当該録画位置および当該再生位置に基づき時間表示を更新する第５工程を有し、前記第１工程乃至前記第５工程を繰り返して、前記再生済みバー、前記再生ポジションバーおよび前記再生動作記号表示における表示位置を再生の進行に合わせて変化させ、前記録画ポジションバーおよび前記録画動作記号表示における表示位置を録画の進行に合わせて変化させ、当該再生位置および当該録画位置の最新位置を前記時間表示として表示することを特徴とする請求項１に記載の映像の録画再生状態表示方法に存する。また、請求項３に記載の発明の要旨は、再生モードを高速再生に切り替える操作をした場合、高速再生への切替操作を検出する第６工程と、高速再生に対応する動作記号である高速再生用の記号を選択するとともに、再生モードを高速再生に変更して高速再生を開始する第７工程と、録画中であるときに番組中のどの位置まで録画したかを計算する第８工程と、当該計算結果に基づき、前記録画ポジションバーおよび前記録画動作記号表示の表示位置を更新する第９工程と、高速再生モードで再生中であるときに番組中のどの位置まで再生したかを計算する第１０工程と、当該計算結果に基づき、前記再生済みバー、前記再生ポジションバーおよび前記再生動作記号表示の表示を更新するとともに、前記第７工程で選択した前記高速再生用の記号を用いて前記再生動作記号表示を実行する工程と、前記第８工程で得た録画位置および前記第１０工程で得た再生位置に基づき前記時間表示を更新する工程を実行することを特徴とする請求項２に記載の映像の録画再生状態表示方法に存する。また、請求項４に記載の発明の要旨は、映像や音声を記録・再生できる装置において動作状態の把握を容易にする表示を提供できる映像録画再生装置であって、番組全体の放送予定の長さをステータスバーを用いて表す手段と、少なくとも記録媒体上での再生位置または録画位置を視覚的に表現する前記ステータスバーの上部及び下部の一方に再生動作記号表示、他方に録画動作記号表示を配置して動作記号表示を行う手段を有することを特徴とする映像録画再生装置に存する。また、請求項５に記載の発明の要旨は、番組の録画中に当該番組中のどの位置まで録画したかを計算する手段と、当該計算結果に基づき、録画ポジションバーおよび前記録画動作記号表示の表示位置を更新する手段と、番組の再生中に当該番組中のどの位置まで再生したかを計算する手段と、当該計算結果に基づき、再生済みバー、再生ポジションバーおよび前記再生動作記号表示の表示位置を更新する手段と、当該録画位置および当該再生位置に基づき時間表示を更新する手段と、前記再生済みバー、前記再生ポジションバーおよび前記再生動作記号表示における表示位置を再生の進行に合わせて変化させ、前記録画ポジションバーおよび前記録画動作記号表示における表示位置を録画の進行に合わせて変化させ、当該再生位置および当該録画位置の最新位置を前記時間表示として表示する手段を有することを特徴とする請求項４に記載の映像録画再生装置に存する。また、請求項６に記載の発明の要旨は、再生モードを高速再生に切り替える操作をした場合、高速再生への切替操作を検出する手段と、高速再生に対応する動作記号である高速再生用の記号を選択するとともに、再生モードを高速再生に変更して高速再生を開始する手段と、録画中であるときに番組中のどの位置まで録画したかを計算する手段と、当該計算結果に基づき、前記録画ポジションバーおよび前記録画動作記号表示の表示位置を更新する手段と、高速再生モードで再生中であるときに番組中のどの位置まで再生したかを計算する手段と、当該計算結果に基づき、前記再生済みバー、前記再生ポジションバーおよび前記再生動作記号表示の表示を更新するとともに、前記選択した前記高速再生用の記号を用いて前記再生動作記号表示を実行する手段と、前記録画位置および前記計算で得た再生位置に基づき前記時間表示を更新する手段を有することを特徴とする請求項５に記載の映像録画再生装置に存する。
【００１５】
【発明の実施の形態】
本発明の特徴は、ビデオデッキやＤＶＤ−ＲＡＭなどの映像や音声を記録・再生できる装置において、再生や録画などの現在位置を視覚的に表現するステータスバーに動作記号表示を設けることによって、動作状態の把握を容易にする表示を提供できることにある。以下、本発明の実施の形態を図面に基づいて詳細に説明する。
【００１６】
（第１の実施の形態）
図１は本発明の映像の録画再生状態表示方法にかかる第１の録画再生状態表示例である。図１において、１０はステータスバー、１１は再生済みバー、１２は再生ポジションバー、１３は再生動作記号表示、１４は録画ポジションバー、１５は録画動作記号表示、１６は時間表示を示している。
【００１７】
図１において、放送中の番組を録画している最中に、記録済み個所の再生を並行して行っている状態を示しており、ステータスバー１０は番組全体の放送予定の長さを表し、再生済みバー１１は映像全体のうち再生済みの長さを表す。
【００１８】
再生ポジションバー１２は再生位置を表し、再生動作記号表示１３には再生モードが通常再生であることを示す記号が表示されている。再生が進行すると、再生済みバー１１が右に伸びるのに同期して、再生ポジションバー１２および再生動作記号表示１３の表示位置が変化する。
【００１９】
録画ポジションバー１４は録画位置を表し、録画動作記号表示１５は録画モードが通常録画であることを示す記号が表示されている。録画ポジションバー１４および録画動作記号表示１５は、録画の進行と同期して表示位置が変化する。また時間表示１６には放送予定が１２０分の番組のうち１００分までを録画しており、３５分の位置を再生中であることを表現している。このようにして、再生や録画などの動作状態を容易に把握できるようになる。
【００２０】
図２は本発明の第１の実施の形態に係る映像録画再生装置２０を説明するための機能ブロック図である。図２において、２０は映像録画再生装置、２０１はアンテナ、２０２はチューナ回路、２０３はエンコーダ、２０４はデコーダ、２０５は記録装置、２０６は表示回路、２０７はグラフィック出力回路、２０８はＭＰＵ、２０９はメモリ、２１０は制御マイコン、２１１はリモコン、２１２はＴＶを示している。
【００２１】
図２を参照すると、本実施の形態の映像録画再生装置２０は、チューナ回路２０２と、エンコーダ２０３と、デコーダ２０４と、記録装置２０５と、表示回路２０６と、グラフィック出力回路２０７とＭＰＵ（超小型演算処理装置）２０８とメモリ２０９と、制御マイコン２１０と、リモコン２１１を含み、アンテナ２０１およびＴＶ（テレビ）２１２に接続されている。
【００２２】
次に映像録画再生装置２０の動作について説明する。初めに、放送を視聴する際の動作について説明する。まず、放送局から送られた信号をアンテナ２０１が受信する。この信号をチューナ回路２０２によって選局して視聴対象となる映像信号を得る。映像信号は表示回路２０６によってＴＶ２１２に出力されユーザは映像を見ることができる。ユーザがリモコン２１１を使ってチャンネル変更操作を行った場合は、制御マイコン２１０がこの信号を受けてＭＰＵ２０８に伝達する。ＭＰＵ２０８はチューナに対して選局対象の変更を要求すると同時にグラフィック出力回路２０７を用いてチャンネル番号の表示イメージを表示回路２０６に出力する。メモリ２０９は、ＭＰＵ２０８が処理を実行するときの一時記憶装置として使われる。表示回路２０６はチューナ回路２０２で新たに選局した映像信号に、グラフィック出力回路２０７から受けた表示イメージを重畳してＴＶ２１２に出力する。
【００２３】
次に、映像を録画する際の動作について説明する。放送局から送られた信号をアンテナ２０１が受信する。この信号はチューナ回路２０２によって選局して録画対象となる映像信号を得る。映像信号をエンコーダ２０３によってデジタル信号に変換して記録装置２０５に記録する。
【００２４】
録画した映像を再生する際の動作について説明する。記録装置２０５から読み出したデジタル信号はデコーダ２０４によって映像信号に復号され、表示回路２０６に送られる。
【００２５】
再生や録画を行うとき、再生、逆再生、高速再生、高速逆再生、スロー再生、一時停止、録画、録画一時停止などの各種動作状態に応じてＭＰＵ２０８がインジケータイメージを作成し、グラフィック出力回路２０７に出力させる。インジケータイメージは表示回路２０６によって再生映像に重畳されたのちＴＶ２１２に送られる。これによってユーザは再生映像の上にインジケータを見ることができる。
【００２６】
次に、図１、図２、図３、図４および図５を参照して本実施の形態の全体の動作について詳細に説明する。図３は本発明の映像の録画再生状態表示方法にかかる第２の録画再生状態表示例、図４は本発明の映像の録画再生状態表示方法にかかる動作記号の例、図５は図２の映像録画再生装置２０の動作（映像の録画再生状態表示方法）を説明するための動作フローである。
【００２７】
図１を参照すると、放送中の番組の録画と並行して記録済み個所の再生を行っている状態を示している。この状態の動作フローを図５に沿って説明する。図５を参照すると、まず、ステップＳ５１ではリモコン２１１の操作はないのでステップＳ５３へ進む。ステップＳ５３では録画中なのでステップＳ５４へ進み、番組中のどの位置まで録画したかを計算する。この結果に基づき、ステップＳ５５で録画ポジションバー１４および録画動作記号表示１５の表示位置を更新する。続いて、ステップＳ５６では再生中であるのでステップＳ５７へ進み、番組中のどの位置まで再生したかを計算する。この結果に基づき、ステップＳ５８で再生済みバー１１、再生ポジションバー１２および再生動作記号表示１３の表示位置を更新する。最後に、ステップＳ５９において、ステップＳ５４で得た録画位置およびステップＳ５７で得た再生位置に基づき時間表示１６を更新する。
【００２８】
この繰り返しにより、再生済みバー１１、再生ポジションバー１２および再生動作記号表示１３は再生の進行に合わせて表示位置が変化し、録画ポジションバー１４および録画動作記号表示１５は録画の進行に合わせて表示位置が変化し、時間表示１６は再生位置および録画位置の最新位置を表示する。
【００２９】
次に、図２のリモコン２１１によって再生モードを高速再生に切り替える操作をしたときの動作フローを図５に沿って説明する。図５を参照すると、まず、ステップＳ５１で高速再生への切替操作を検出しステップＳ５２へ進む。ステップＳ５２では図４の動作記号のうち高速再生に対応する動作記号を選択すると同時に、再生モードを高速再生に変更して高速再生を開始する。ステップＳ５３では録画中であるのでステップＳ５４へ進み、番組中のどの位置まで録画したかを計算する。この結果に基づき、ステップＳ５５で録画ポジションバー１４および録画動作記号表示１５の表示位置を更新する。続いて、ステップＳ５６では高速再生モードで再生中であるのでステップＳ５７へ進み、番組中のどの位置まで再生したかを計算する。この結果に基づき、ステップＳ５８で再生済みバー１１、再生ポジションバー１２および再生動作記号表示１３の表示を更新する。このとき、再生動作記号表示１３にはステップＳ５２で選択した高速再生用の記号を用いる。ステップＳ５９ではステップＳ５４で得た録画位置およびステップＳ５７で得た再生位置に基づき時間表示１６を更新する。こうして図３に示すような表示状態を得ることができる。
【００３０】
本実施の形態では、再生モードや録画モードが上記以外のモードに切り替わったときにも同様に、図４に示す動作記号を選択して動作記号を切り替える。
【００３１】
以上説明したように第１の実施の形態によれば、録画と再生が同時に実行されても状態を把握できることと、通常の再生や録画以外の逆再生、高速再生、高速逆再生、スロー再生、一時停止、録画一時停止のような状態も把握できるようになるといった効果を奏する。
【００３２】
（第２の実施の形態）
次に、図面に基づき第２の実施の形態を説明する。なお、第１の実施の形態において既に記述したものと同一の部分については、同一符号を付し、重複した説明は省略する。図６は本発明の映像の録画再生状態表示方法にかかる第３の録画再生状態表示例である。図１のような再生ポジションバー１２や録画ポジションバー１４の表示は省略し、その代わりに再生動作記号表示１３および録画動作記号表示１５をステータスバー１０の中に直接配置している。これにより、さらに狭い範囲での録画再生状態の表示が可能となる。
【００３３】
図７は本発明の映像の録画再生状態表示方法にかかる第４の録画再生状態表示例である。本実施の形態では、再生動作記号表示１３をステータスバー１０の上部に配置し、録画動作記号表示１５をステータスバー１０の下部に配置している。これにより、録画位置と再生位置が近隣である場合でも再生動作記号表示１３と録画動作記号表示１５が重なって表示されることを簡単に回避することができる。
【００３４】
図８は本発明の第２の実施の形態に係る映像録画再生装置３０を説明するための機能ブロック図である。図８において、３０は映像録画再生装置、２０１はアンテナ、２０２はチューナ回路、２０３はエンコーダ、２０４はデコーダ、２０５は記録装置、２０６，２１３は表示回路、２０７はグラフィック出力回路、２０８はＭＰＵ、２０９はメモリ、２１０は制御マイコン、２１１はリモコン、２１２，２１４はＴＶを示している。
【００３５】
本実施の形態では、図２の映像録画再生装置２０に対して表示回路２１３およびＴＶ２１４を追加した点に特徴を有している。本実施の形態の映像録画再生装置３０では、録画と再生各１系統と同時に、さらにもう１系統の映像再生を表示回路２１３の経由でＴＶ２１４に対して行うことができる。また、グラフィック出力回路２０７は、表示回路２０６および表示回路２１３の両方に接続されており、録画再生状態表示を両方の出力に同時に出すことができるように構成されているようにする。
【００３６】
本実施の形態の映像録画再生装置３０で、放送中の番組を録画し、同時に再生を行い、さらに別の個所のスロー再生を行った状態での録画再生状態表示の例を図９に示す。すなわち、再生動作記号表示１３によって通常再生が行われていることを示し、録画動作記号表示１５によって通常録画が行われていることを示しているのに加え、再生動作記号表示１８によってスロー再生も行われていることを示している。
【００３７】
以上説明したように第２の実施の形態によれば、録画と再生が同時に実行されても状態を把握できることと、通常の再生や録画以外の逆再生、高速再生、高速逆再生、スロー再生、一時停止、録画一時停止のような状態も把握できるようになるといった効果を奏する。
【００３８】
なお、本発明が上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００３９】
【発明の効果】
本発明は以上のように構成されているので、録画と再生が同時に実行されても状態を把握できることと、通常の再生や録画以外の逆再生、高速再生、高速逆再生、スロー再生、一時停止、録画一時停止のような状態も把握できるようになるといった効果を奏する。
【図面の簡単な説明】
【図１】本発明の映像の録画再生状態表示方法にかかる第１の録画再生状態表示例である。
【図２】本発明の第１の実施の形態に係る映像録画再生装置を説明するための機能ブロック図である。
【図３】本発明の映像の録画再生状態表示方法にかかる第２の録画再生状態表示例である。
【図４】本発明の映像の録画再生状態表示方法にかかる動作記号の例である。
【図５】図２の映像録画再生装置の動作（映像の録画再生状態表示方法）を説明するための動作フローである。
【図６】本発明の映像の録画再生状態表示方法にかかる第３の録画再生状態表示例である。
【図７】本発明の映像の録画再生状態表示方法にかかる第４の録画再生状態表示例である。
【図８】本発明の第２の実施の形態に係る映像録画再生装置を説明するための機能ブロック図である。
【図９】本発明の映像の録画再生状態表示方法にかかる第５の録画再生状態表示例である。
【図１０】従来の録画再生装置における再生状態表示例である。
【図１１】従来の録画再生装置における再生ポジション表示例である。
【符号の説明】
１０…ステータスバー
１１…再生済みバー
１２…再生ポジションバー
１３…再生動作記号表示
１４…録画ポジションバー
１５…録画動作記号表示
１６…時間表示
１７…再生ポジションバー
１８…再生動作記号表示
２０，３０…映像録画再生装置
２０１…アンテナ
２０２…チューナ回路
２０３…エンコーダ
２０４…デコーダ
２０５…記録装置
２０６，２１３…表示回路
２０７…グラフィック出力回路
２０８…ＭＰＵ
２０９…メモリ
２１０…制御マイコン
２１１…リモコン
２１２，２１４…ＴＶ
Ａ…画面
Ｂ…動作記号
【図１】
0004282178.tif 000002
【図２】
0004282178.tif 000003
【図３】
0004282178.tif 000004
【図４】
0004282178.tif 000005
【図５】
0004282178.tif 000006
【図６】
0004282178.tif 000007
【図７】
0004282178.tif 000008
【図８】
0004282178.tif 000009
【図９】
0004282178.tif 000010
【図１０】
0004282178.tif 000011
【図１１】
0004282178.tif 000012